(57)【要約】      （修正有）【課題】メーカーごとにサイズや固定方法が異なっても対応できる板金部品を提供する。【解決手段】表示パネル固定板金を、パネル上辺固定板金１１０と、パネル下辺固定板金１２０と、架橋板金１００とに分割する。そして、パネル上辺固定板金１１０をフラット表示パネル３０の上辺に、パネル下辺固定板金１２０をフラット表示パネル下辺に取り付け、両板金を二本の架橋部材１００にて保持する。また、架橋部材１００をパネル上辺固定板金１１０にネジ止めするネジ穴を縦長にすることで、１インチ以上異なるサイズの表示パネルに対して、パネル上辺固定板金１１０とパネル下辺固定板金１２０とはもちろん、架橋板金１００も同一のものを使用できるようにした。【選択図】図３
0003117833.tif 000002
【実用新案登録請求の範囲】
【請求項１】
インバータ回路および蛍光管からなるバックライトを備え、映像を画面に表示する液晶表示パネルと、音声を出力するスピーカと、テレビ放送を受信して映像を上記液晶表示パネルに表示させるとともに音声を上記スピーカにて出力させる主基板と、上記液晶表示パネルとスピーカと主基板とを収容する樹脂製のキャビネットと
を備える液晶テレビジョンにおいて、
上記主基板は一次電源回路を備え、
上記液晶表示パネルは、
画面が１６：９のワイドタイプであって２０型から３０型の大きさであるとともにビューエリアを取り囲むように正面側と側面側に金属製の枠部が配置されつつ背面側を金属製のシールドパネルにて覆われ、かつ、同背面側には一方の短辺に沿って上下方向に配向した縦長のインバータ回路が配置されており、
同液晶表示パネルの上記枠部における上辺と下辺とに沿って並行に配置されて、同上辺と下辺とをビス止め固定可能な上辺固定板金と下辺固定板金と、
この下辺固定板金における上方側であって上記インバータ回路が配置された側を避けるように水平方向にオフセットされて固定され、下端側はほぼ上記下辺固定板金に接するように配置されるものの上端側は上記上辺固定板金まで届かない上下高に形成されるメッシュパネルからなる基板固定板金と、
上記基板固定板金の背面側にて上記インバータ回路が配置された側と反対側に寄せてビス止め支持されて上記主基板に具現されない処理を担当する補助基板と、
同基板固定板金の背面側にて上記インバータ回路が配置された側に近づけて上記補助基板と並べて支持されるとともに、上記一次電源回路は同インバータ回路が配置された側に近づけて配置して同インバータ回路に直流駆動電源を供給する上記主基板と、幅方向に所定距離を隔てて平行に一対をなし、それぞれの上端部位と下端部位にて上記上辺固定板金と下辺固定板金とにビス止め固定されるとともに、上記主基板と干渉せず、かつ、上記一次電源回路に対して所定の沿面距離を確保するために背面側に向けて突き出るように跨ぐ架橋形状をなし、下方の下辺橋脚部と上方の上辺橋脚部とこれらを結ぶ橋梁部分とからなり、これら下辺橋脚部と上辺橋脚部と橋梁部分は１．２〜１．６ｍｍの厚みの金属板を幅が全体的に１０〜２０ｍｍとなるようにコ字型に屈曲させられ、上記下辺橋脚部と上記上辺橋脚部はコ字型とした奥行き方向を深くするとともに上記橋梁部分のコ字型とした奥行き方向を浅く形成して背面側に向けてオフセットすることで同橋梁部分が一次側電源回路を跨ぐ部位で沿面距離を確保するようにし、背面側からは規格サイズの壁掛け金具と固定できるネジ穴が形成され、上記下辺橋脚部の上下方向の長さは上記上辺橋脚部の上下方向の長さよりも長く形成され、上記上辺橋脚部は上記上辺固定板金を上方の固定位置と下方の固定位置とに固定可能となるようにビス止め用の穴が長穴として形成され、上記下辺橋脚部はスタンド金具を固定可能とするネジ穴が形成された架橋板金
とを備え、
上記キャビネットは、
上記液晶表示パネルのビューエリアを正面側に開口しつつ、上記下辺固定板金よりも下方側であって幅方向の外側位置に上記スピーカを一対として支持し、概略全体を被覆するように形成され、上記上辺固定板金と下辺固定板金とに固定されるにあたり、同下辺固定板金に対しては一つの固定位置となるようにネジ受けボスが立設されるとともに、上記上辺固定板金に対しては上下二つの固定位置となるように幅方向と上下方向に互いにオフセットした位置で二つのネジ受けボスが立設され、この二つのネジ受けボスに対してネジ止め固定できるように上記上辺固定板金にも幅方向とオフセットした位置で二つのネジ穴を形成したことを特徴とする液晶テレビジョン。
【請求項２】
映像を画面に表示するフラット表示パネルと、
音声を出力するスピーカと、
テレビ放送を受信して映像を上記フラット表示パネルに表示させるとともに音声を上記スピーカにて出力させる主基板と、
上記液晶表示パネルとスピーカと主基板とを収容する樹脂製のキャビネットと、
上記フラット表示パネルを同フラット表示パネル裏面より上記キャビネットに固定するパネル固定手段とを備えるパネル型テレビジョンにおいて、
上記パネル固定手段は、
上記フラット表示パネル裏面の上辺に取り付けられるとともにフロントキャビネットに固定される上辺固定部材と、
上記フラット表示パネル裏面の下辺に取り付けられるとともにフロントキャビネットに固定される下辺固定部材と、
上記下辺固定部材から上方にかけて上記フラット表示パネル裏面の略半分までを覆うとともに、複数の小穴が形成される基板固定部材と、
上記上辺固定部材の上端と上記下辺固定部材の下端とに固定されて上記上辺固定部材と上記下辺固定部材とを架橋して接続するとともに壁掛け構造を有する架橋部材とから成り、
上記基板固定部材には一次電源回路を含む主基板と、一次電源回路を含まない補助基板とが設置され、
上記フロントキャビネットの上記フラット表示パネル裏面側方には、インバータ回路を備えるインバータ基板が設置され、
上記フラット表示パネル裏面における上記上辺固定部材と上記基板固定部材との間にＤＶＤドライブが設置されることを特徴とするパネル型テレビジョン。
【請求項３】
上記架橋部材は、桁下高が上記主基板および上記補助基板の部品高より高く、上下方向の橋脚幅が前後方向の橋梁幅よりも長いことを特徴とする上記請求項２に記載のパネル型テレビジョン。
【請求項４】
上記架橋部材は上記上辺固定部材および上記下辺固定部材にネジ止めされ、
上記架橋部材に形成されて上記上辺固定部材にネジ止めするネジ穴は上下方向に縦長に形成されることを特徴とする上記請求項２または３に記載のパネル型テレビジョン。
【請求項５】
上記フロントキャビネットは、上記フラットパネルの下方にスピーカが設置されることを特徴とする上記請求項２〜４のいずれかに記載のパネル型テレビジョン。
【請求項６】
上記フラット表示パネルは、２０インチから３５インチの液晶表示パネルであることを特徴とする上記請求項２〜５のいずれかに記載のパネル型テレビジョン。
【請求項７】
上記架橋部材は、厚みが１．２〜１．６mmの板金を左右方向幅が１０〜２０mmとなるよう折り曲げ加工して形成されることを特徴とする上記請求項２〜６のいずれかに記載のパネル型テレビジョン。
【考案の詳細な説明】
【技術分野】
【０００１】
本考案は、液晶テレビジョンやプラズマテレビジョンなどのパネル型テレビジョンの壁掛け構造及びパネル固定板金構造に関する。
【背景技術】
【０００２】
パネル型テレビジョンのフラット表示パネルは後部より板金にてフロントパネルに取り付けられる。特に大型のパネル型テレビジョンでは、表示パネル全体を後部から覆う板金にてフロントキャビネットに取り付けられていた。
【０００３】
またパネル型テレビジョンは立設だけでなく壁に掛けて使用されることも多く、小型のパネル型テレビジョンでは、製品自重が比較的軽いため、リアキャビネットに壁掛け構造を有する板金部品を固定して壁掛けキットが取り付けられていたが、大型のパネル型テレビジョンは製品自重が２０ｋｇを超えることも多く、壁掛のためのフレームが板金に取り付けられる構造となっていた。
【０００４】
特許文献１にはフラットパネルを支持板に対面に固定させて、表カバーと裏カバーを接合させてなす薄型ケース内に収容し、二枚縦向き姿勢で左右に隔てた支持板に、二枚の環状のパイプフレームを水平向き姿勢で上下に隔てて対立状態に一体に固着させて井桁状に組んだＦＤＰについて開示されている。
【０００５】
特許文献４には、フロントキャビネットと、中央ステー、左ステーおよび右ステーの各ステーとによって挾持することでフロントキャビネットに液晶表示パネルを固定する表示装置について開示されています。
【特許文献１】特開２０００−２２７７６７
【特許文献２】実用新案登録第３１１０７００号
【特許文献３】特開平１１−１３３８８３
【特許文献４】特開２００３−１５００７６
【特許文献５】特開２００５−２０８３８４
【考案の開示】
【考案が解決しようとする課題】
【０００６】
大型のパネル型テレビジョンの表示パネルは、表示パネル全体を覆う板金にてフロントキャビネットに取り付けられる。しかしながら、表示パネルはブラウン管などと違い、メーカーごとにサイズや固定方法が異なるため、上記のような板金では対応することが難しく、各表示パネルに専用の板金部品が必要とされていた。また大型の表示パネルでは板金部品のサイズも大きくならざるを得ず、板金部品を加工する機械を所有するメーカーが少なく、コスト削減が困難であった。さらにサイズが大きくなるにつれ、板金の重量も増えるため、落下試験や振動試験などの特殊試験において不利となっていた。
【０００７】
本考案は、サイズや固定方法の異なる表示パネルに対応できる板金部品の開発を目的とする。
【課題を解決するための手段】
【０００８】
上記目的を達成するために、本考案では、インバータ回路および蛍光管からなるバックライトを備え、映像を画面に表示する液晶表示パネルと、音声を出力するスピーカと、テレビ放送を受信して映像を上記液晶表示パネルに表示させるとともに音声を上記スピーカにて出力させる主基板と、上記液晶表示パネルとスピーカと主基板とを収容する樹脂製のキャビネットとを備える液晶テレビジョンにおいて、上記主基板は一次電源回路を備え、上記液晶表示パネルは、画面が１６：９のワイドタイプであって２０型から３０型の大きさであるとともにビューエリアを取り囲むように正面側と側面側に金属製の枠部が配置されつつ背面側を金属製のシールドパネルにて覆われ、かつ、同背面側には一方の短辺に沿って上下方向に配向した縦長のインバータ回路が配置されており、同液晶表示パネルの上記枠部における上辺と下辺とに沿って並行に配置されて、同上辺と下辺とをビス止め固定可能な上辺固定板金と下辺固定板金と、この下辺固定板金における上方側であって上記インバータ回路が配置された側を避けるように水平方向にオフセットされて固定され、下端側はほぼ上記下辺固定板金に接するように配置されるものの上端側は上記上辺固定板金まで届かない上下高に形成されるメッシュパネルからなる基板固定板金と、上記基板固定板金の背面側にて上記インバータ回路が配置された側と反対側に寄せてビス止め支持されて上記主基板に具現されない処理を担当する補助基板と、同基板固定板金の背面側にて上記インバータ回路が配置された側に近づけて上記補助基板と並べて支持されるとともに、上記一次電源回路は同インバータ回路が配置された側に近づけて配置して同インバータ回路に直流駆動電源を供給する上記主基板と、幅方向に所定距離を隔てて平行に一対をなし、それぞれの上端部位と下端部位にて上記上辺固定板金と下辺固定板金とにビス止め固定されるとともに、上記主基板と干渉せず、かつ、上記一次電源回路に対して所定の沿面距離を確保するために背面側に向けて突き出るように跨ぐ架橋形状をなし、下方の下辺橋脚部と上方の上辺橋脚部とこれらを結ぶ橋梁部分とからなり、これら下辺橋脚部と上辺橋脚部と橋梁部分は１．２〜１．６ｍｍの厚みの金属板を幅が全体的に１０〜２０ｍｍとなるようにコ字型に屈曲させられ、上記下辺橋脚部と上記上辺橋脚部はコ字型とした奥行き方向を深くするとともに上記橋梁部分のコ字型とした奥行き方向を浅く形成して背面側に向けてオフセットすることで同橋梁部分が一次側電源回路を跨ぐ部位で沿面距離を確保するようにし、背面側からは規格サイズの壁掛け金具と固定できるネジ穴が形成され、上記下辺橋脚部の上下方向の長さは上記上辺橋脚部の上下方向の長さよりも長く形成され、上記上辺橋脚部は上記上辺固定板金を上方の固定位置と下方の固定位置とに固定可能となるようにビス止め用の穴が長穴として形成され、上記下辺橋脚部はスタンド金具を固定可能とするネジ穴が形成された架橋板金とを備え、上記キャビネットは、上記液晶表示パネルのビューエリアを正面側に開口しつつ、上記下辺固定板金よりも下方側であって幅方向の外側位置に上記スピーカを一対として支持し、概略全体を被覆するように形成され、上記上辺固定板金と下辺固定板金とに固定されるにあたり、同下辺固定板金に対しては一つの固定位置となるようにネジ受けボスが立設されるとともに、上記上辺固定板金に対しては上下二つの固定位置となるように幅方向と上下方向に互いにオフセットした位置で二つのネジ受けボスが立設され、この二つのネジ受けボスに対してネジ止め固定できるように上記上辺固定板金にも幅方向とオフセットした位置で二つのネジ穴を形成した構成としてある。
【０００９】
また、上記目的を達成するために、請求項２に記載のパネル型テレビジョンでは、映像を画面に表示するフラット表示パネルと、音声を出力するスピーカと、テレビ放送を受信して映像を上記フラット表示パネルに表示させるとともに音声を上記スピーカにて出力させる主基板と、上記液晶表示パネルとスピーカと主基板とを収容する樹脂製のキャビネットと、上記フラット表示パネルを同フラット表示パネル裏面より上記キャビネットに固定するパネル固定手段とを備えるパネル型テレビジョンにおいて、上記パネル固定手段は、上記フラット表示パネル裏面の上辺に取り付けられるとともにフロントキャビネットに固定される上辺固定部材と、上記フラット表示パネル裏面の下辺に取り付けられるとともにフロントキャビネットに固定される下辺固定部材と、上記下辺固定部材から上方にかけて上記フラット表示パネル裏面の略半分までを覆うとともに、複数の小穴が形成される基板固定部材と、上記上辺固定部材の上端と上記下辺固定部材の下端とに固定されて上記上辺固定部材と上記下辺固定部材とを架橋して接続するとともに壁掛け構造を有する架橋部材とから成り、上記基板固定部材には一次電源回路を含む主基板と、一次電源回路を含まない補助基板とが設置され、上記フロントキャビネットの上記フラット表示パネル裏面側方には、インバータ回路を備えるインバータ基板が設置され、上記フラット表示パネル裏面における上記上辺固定部材と上記基板固定部材との間にＤＶＤドライブが設置される構成としてある。
【００１０】
上記フラット表示パネルは、裏面の上辺に上記上辺固定部材を取り付けられ、裏面の下辺に上記下辺固定部材を取り付けられ、複数の小穴が形成された上記基板固定部材が上記下辺固定部材から上方にかけて上記フラット表示パネル裏面の略半分までを覆うように取り付けられる。そして上記上辺固定部材および上記下辺固定部材とは、上記フロントキャビネットに取り付けられる。また、上記上辺固定部材の上端と上記下辺固定部材の下端とに、壁掛け構造を有する上記架橋部材が上記上辺固定部材と上記下辺固定部材とを架橋して接続する。さらに、上記基板固定部材には一次電源回路を含む主基板と、一次電源回路を含まない補助基板とが設置され、上記フロントキャビネットの上記フラット表示パネル裏面側方には、インバータ回路を備えるインバータ基板が設置され、上記フラット表示パネル裏面における上記上辺固定部材と上記基板固定部材との間にＤＶＤドライブが設置される。
【考案の効果】
【００１１】
以上説明したように、本考案の請求項２にかかる考案によれば、パネルメーカー毎に部品を作成せずに済むため、１つの金型に対する評価時間が延びるとともに、コストが削減できる。また、作業者においては、パネルが変わっても作業内容が同じであるため作業性が向上する。そして、部品を分割することにより材料が軽減されて軽量化され、落下試験や振動試験などの特殊試験において有利になる。さらに、壁掛け構造をバックキャビネットとは独立させたため、強固な壁掛け構造を提供することができるとともに、パネル固定部材の１つとするため部品点数も削減できる。また、パネル固定部材を分割したことにより部品が小型化され大型機械を所持していないメーカーにも部品作成が可能となり、価格競争が見込めるとともに、小型機械での生産が可能となるため、大型機械と違い機械台数も多く、部品の納期遅れが無くなるとともに、部品不良も低減する。そして、パネル全体を板金で覆わないため、パネルの発熱に対する排熱効率が上がり、テレビジョン内の温度が下がる。
【００１２】
また請求項３にかかる考案によれば、架橋部材の桁下高が基板の部品高よりも高いため、基板固定部材に基板を取り付けやすくなる。
そして請求項４にかかる考案によれば、架橋部材における上辺部材側のネジ穴を上下方向に縦長にすることでサイズの異なるフラット表示パネルにも同一の架橋部材を使用できるようになる。
さらに請求項５にかかる考案によれば、スピーカを主基板の近くに配置することが可能となり、配線が容易になる。
また請求項６にかかる考案によれば、２０インチ〜３５インチといった、これまでバックキャビネットに直接壁掛け構造を作成できなかったサイズのテレビジョンにも、壁掛け構造を作成することが可能となる。
そして請求項７にかかる考案によれば、板金の厚みを薄くしても折り曲げ加工することで十分な強度を得ることが出来るとともに、左右方向幅を狭くすることで基板固定部材への基板取りつけがより容易になる。
むろん請求項１のような、より具体的な構成において上述した請求項２〜請求項７の各考案と同様の作用を奏することはいうまでもない。
【考案を実施するための最良の形態】
【００１３】
以下、下記の順序に従って本考案の実施形態を説明する。
（１）本考案におけるパネル型テレビジョンの構成：
（２）パネル固定板金の構造および効果：
（３）まとめ：
【００１４】
（１）本考案におけるパネル型テレビジョンの構成： 
以下、本考案の一実施形態にかかるパネル型テレビジョンについて説明する。図１は、パネル型テレビジョンを斜め前方より見た斜視図である。同図において、パネル型テレビジョン１０は、キャビネット１２と映像を画面に表示する液晶表示パネル１３と脚部１４とから構成されている。キャビネット１２は、液晶表示パネル１３をその表示面が前面側に露出するように保持している。脚部１４は、キャビネット１２を支持しており、それにより液晶表示パネル１３の表示面が略鉛直に配向させられている。
【００１５】
液晶表示パネル１３は、サイズが２０型〜３５型であり、同液晶表示パネルを背面から照射する蛍光管から成るバックライトを備えている。そして、ビューエリアを取り囲むように正面側と側面側に金属製の枠が配置される。背面は金属製のシールドパネルで覆われるとともに一方の短辺に沿って上下方向に配向させられた縦長のインバータ回路の実装されたインバータ基板１６０が配置される。
【００１６】
図２はパネル型テレビジョンを斜め後方より見た斜視図である。同図において、パネル型テレビジョン１０の背面側におけるキャビネット１２は中央部が背面側に厚く形成されており、背面には壁掛け用の穴が開いている。その内部の中空空間に各種基板やＤＶＤドライブ５０が配設されている。例えば、ＤＶＤドライブ５０は後方より見て左上に備えられており、ＤＶＤスロットより光記録ディスクを挿入すると、同ＤＶＤドライブ５０にて光記録ディスクのデータを読み取ることが可能となっている。本実施例においてはＤＶＤドライブはスロットインタイプのものを採用しているが、むろんディスクトレイ方式のものであっても構わない。
【００１７】
フロントキャビネット２０は図１に示すように、ビューエリアが正面側に開口し、バックキャビネット２５と合わさって、概略パネル型テレビジョン１０の全体を覆う構造と成っている。前面より見て右側面上方にＤＶＤドライブ５０にディスクを出し入れするための矩形の穴が開いている。そして液晶表示パネル３０の下方のフロントキャビネット内部に、幅方向の外側位置に左右一対のスピーカ６５が取り付けられ、フロントキャビネットのスピーカ６５の取りつけ位置には複数の小穴から成るスピーカ用穴６０が形成される。またフロントキャビネットの内側には、後述するパネル上辺固定板金１１０とパネル下辺固定板金１２０とを固定するためのネジ受けボスが形成される。フロントキャビネットに複数のサイズの液晶表示パネルを固定するために、パネル下辺固定板金１２０に対しては一つの固定位置となるようにネジ受けボスが立設され、パネル上辺固定板金１１０に対しては上下二つの固定位置となるように幅方向と上下方向に互いにオフセットした位置で二つのネジ受けボスが立設される。
【００１８】
バックキャビネット２５には、キャビネット内部に設置される架橋板金１００と対応する位置に壁掛け用の壁掛け穴８０が形成されている。バックキャビネット２５の素材は樹脂製なので、テレビジョン自重が２０ｋｇを超えるとバックキャビネット２５だけでは支えきれず、バックキャビネットが破損する可能性がある。従って内部の対応する位置に金属製の架橋板金１００を配置し、架橋板金１００にてテレビジョンを壁に支持する構成となっている。この壁掛け穴８０は本実施例においては左右２つずつ上下に並べた丸穴としたが、内部の架橋板金１００位置および同板金に形成される壁掛け構造の数と対応していればいくつ形成されてもよく、また形状も丸以外に三角や四角などいかなる形状であっても構わない。
【００１９】
図３にパネル型テレビジョンのバックキャビネット２５を外したときの内部斜視図を示す。液晶表示パネル３０には、上辺にパネル上辺固定板金１１０がネジ止めされ、下辺にパネル下辺固定板金１２０がネジ止めされる。そしてパネル上辺固定板金およびパネル下辺固定板金よりそれぞれ上下に突出させた複数の鍔部分に形成されたフロントキャビネット用ネジ穴１１４にてフロントキャビネットに固定される。液晶表示パネル３０は厚みや幅などのサイズがメーカーにより異なるが、上下にパネル固定板金を分割したことで様々なサイズに対応できるようになる。本実施例ではフラット表示パネルとして液晶表示パネルを採用したが、パネル型の表示パネルであればいかなる物でもよく、むろんプラズマディスプレイの表示パネルであっても構わない。またパネル固定板金は上辺と下辺のみならず、必要であれば左辺と右辺とにも使用してもよい。
【００２０】
バックキャビネット２５内部に設置されて壁掛けにも使用される架橋板金１００は、幅方向に所定距離隔てて平行に左右に一本ずつ上下に配向されて配置され、上端部位にてパネル上辺固定板金１１０に、下端部位にてパネル下辺固定板金１２０にそれぞれネジ止めされて固定されている。フロントキャビネット２０には、パネル上辺固定部材１１０およびパネル下辺固定部材１２０を固定するためのネジ受けボスが同キャビネット面に対して立設される。パネル下辺固定板金１２０をフロントキャビネット２０にネジ止めするためのネジ受けボスはそれぞれのネジ穴に対して１箇所ずつ形成され、パネル上辺固定板金１１０をフロントキャビネット２０にネジ止めするためのネジ受けボスはそれぞれのネジ穴に対して２箇所ずつ形成される。
ここでパネル上辺固定板金１１０が上辺固定部材を構成し、パネル下辺固定板金１２０が下辺固定部材を構成し、架橋板金１００が架橋部材を構成する。
【００２１】
また液晶表示パネル３０裏面の下方には、各種基板を取り付けるための基板設置用板金１３０が取り付けられ、インバータ基板１６０が配置された側を避けるように液晶表示パネル３０裏面の略下半分を覆う。基板設置用板金１３０の斜視図を図１０に示す。この基板設置用板金１３０は、下端側がほぼパネル下辺固定板金１２０に接するとともに上端側はパネル上辺固定板金１１０まで届かない上下高に形成される。また、基板設置用板金１３０には液晶表示パネル３０には放熱用の複数の丸穴が形成されるメッシュパネルであり、液晶表示パネル３０の発する熱を外部に逃がす構造となっている。
【００２２】
基板設置用板金１３０にビス止めされて支持される基板は、裏面より見て中央部にあたるインバータ基板１６０に近い側に主基板が、左方にあたるインバータ基板１６０が配置された側と反対側に補助基板が配置される。主基板１５０には概略、チューナ回路と、画像データ生成回路と、パネル駆動回路と、一次・二次電源回路と、マイコンとが搭載される。一次電源回路はインバータ基板１６０に近い側に配置され、インバータ回路に直流駆動電源を供給する。また、補助基板１４０にはＤＶＤドライブ５０から入力されるデジタルデータの信号処理をするＭＰＥＧデコーダなど、主基板に具現されない処理を行う回路が実装される。
【００２３】
さらに液晶表示パネル３０裏面の右方には、液晶表示パネル３０のバックライトに電源を供給するインバータ回路を備えるインバータ基板が配置される。
ここで基板配置用板金１３０は基板固定部材を構成する。また、パネル上辺固定板金１１０とパネル下辺固定板金１２０と架橋板金１００と基板配置用板金１３０とでパネル固定手段を構成する。
【００２４】
（２）パネル固定板金の構造および効果： 
図８にパネル上辺固定板金の斜視図を示す。パネル上辺固定板金１１０はＬ字型に形成され、液晶表示パネル３０の上辺から裏面への角にかぶさって固定される。また、液晶表示パネル３０の上辺に接する側の中央部分と左右両端部から、庇状に折り曲げられた突出部が設けられ、それぞれにフロントキャビネット２０にパネル上辺固定板金１１０を固定するためのフロントキャビネット用ネジ穴１１４が設けられる。このフロントキャビネット用ネジ穴は、フロントキャビネット２０に２箇所ずつ形成されるネジ受けボスにネジ止めできるように、幅方向とオフセットした位置に２箇所ずつ形成される。さらに、液晶表示パネル３０の上辺から左右両側部へとかぶさるように伸びる突出部にもパネル用ネジ穴１１６が設けられ、液晶表示パネル３０にパネル上辺固定板金１１０を固定するために用いられる。さらに液晶表示パネル３０裏面と接する部分には、パネル上辺固定板金１１０を略三等分する位置に、架橋板金１００を固定するための架橋板金用ネジ穴１１２が左右に並べて２つ設けられる。
【００２５】
図９にパネル下辺固定板金の斜視図を示す。パネル下辺固定板金１２０もパネル上辺固定板金１１０と略同一の形状をしており、フロンとキャビネット２０に固定するためのフロントキャビネット用ネジ穴１２４と、液晶表示パネル３０に固定するためのパネル用ネジ穴１２６と、架橋板金１００を固定するための架橋板金用ネジ穴１２２とが設けられ、液晶表示パネル３０の下辺から裏面への角に略接触して固定される。フロントキャビネット用ネジ穴１２４は、パネル上辺固定板金１１０と同様に液晶表示パネル３０の下辺に接する側の中央部分と左右両端部から庇状に折り曲げられた突出部に設けられるが、パネル上辺固定板金１１０とは異なりネジ穴は各位置に１箇所ずつ形成される。
【００２６】
次に図４〜図７を参照して架橋板金１００の構造について説明する。図４には架橋板金１００の斜視図を、図５には架橋板金１００の断面図を、図６には架橋板金１００の側面図を、そして図７には架橋板金１００の上面図をそれぞれ示してある。架橋板金１００は、コ字状に折り曲げて成型され、上辺橋脚部１０７と橋梁部分１０８と下辺橋脚部１０９とから成り、橋梁部分１０８が基板設置用板金１３０を跨ぐ形状なっている。この架橋板金１００は、板金をコの字型に折り曲げて作成され、両橋脚部分はハット状に外側にさらに折り曲げられ鍔部が形成される。
【００２７】
橋梁部分１０８の桁下高は、基板設置用板金１３０に設置される基板の部品高よりも高くなっており、主基板１５０と干渉せず、かつ、上記一次電源回路に対して所定の沿面距離を確保できるようにパネル型テレビジョン１０の背面側に向けて突き出るように跨ぐ架橋形状となっている。上辺橋脚部１０７と下辺橋脚部１０９とはコの字型とした奥行き方向を深くし、橋梁部分１０８はコ字型とした奥行き方向を浅く形成して背面側に向けてオフセットすることで、橋梁部分１０８が一次電源回路を含む主基板１５０を跨ぐ部位で沿面距離を確保出来るようにしてある。
【００２８】
また図６における下辺橋脚部１０９の上下方向の長さは上辺橋脚部１０７の上下方向の長さよりも長く形成され、この構造によりパネル上辺固定板金１１０及びパネル下辺固定板金１２０と接続される上辺橋脚部１０７と下辺橋脚部１０９の強度が高まり、パネル上辺固定板金１１０とパネル下辺固定板金１２０とを強固に支持することが可能となる。さらに下辺橋脚部にはスタンド金具を固定可能とするネジ穴が形成される。
【００２９】
両橋脚の両鍔部にはそれぞれネジ穴が形成され、上辺橋脚部１０７の鍔部のパネル上辺固定板金１１０とネジ止めされる上辺固定板金用ネジ穴１０２は上下方向の長穴で、下辺橋脚部１０９の鍔部のパネル下辺固定板金１２０とネジ止めされるパネル下辺固定板金用ネジ穴１０４は丸穴である。この長穴は、サイズ違いの液晶表示パネルに対して、同一の架橋板金１００を使用するための形状であり、その作用については後述する。１インチ違う液晶表示パネルに対応させるための長穴のサイズとしては、液晶表示パネル３０のインチ数が１インチ違うときに変化する縦の長さ以上の長さがあればよい。一般に液晶テレビジョンやプラズマテレビジョンのインチ数は、表示パネルの対角線の長さを示しており、同一の縦横比であれば、１インチ変化すると縦の長さの変化は一定である。その変化量は一般に１．２５ｃｍ（縦横比９：１６のとき）〜１．５２ｃｍ（縦横比３：４のとき）ほどである。
【００３０】
さらに橋梁部分１０８の背面側には、規格サイズの壁掛け金具と固定できる壁掛け穴１０６がバックキャビネット２５の壁掛け穴と対応する位置に形成される。この壁掛け用穴１０６はネジ穴であっても構わないし、丸穴や長穴であっても構わない。むろんバックキャビネット２５の壁掛け穴８０と同様、この壁掛け用穴１０６も１つだけ形成されても構わないし、２つ以上形成されても構わない。また本実施例において、架橋板金１００を作成する板金の厚みは１．２ｍｍ〜１．６ｍｍとし、橋梁部分１０８の背部分の幅は１０ｍｍ〜２０ｍｍとしてあるが、パネル型テレビジョン１０の自重を支えることが出来ればいかなる厚みや幅であっても構わない。
【００３１】
液晶表示パネル３０の上辺から裏面に掛けて略接触してパネル上辺固定板金１１０がパネル用ネジ穴１１６にてネジ止めされ、液晶表示パネル３０の下辺から裏面に掛けて略接触してパネル下辺固定板金１２０がパネル用ネジ穴１２６にてネジ止めされる。そして二本の架橋板金１００により、パネル上辺固定板金１１０の架橋板金用ネジ穴１１２と架橋板金１００のパネル上辺固定板金用ネジ穴１０２とがネジにより固定され、パネル下辺固定板金１２０の架橋板金用ネジ穴１２２と架橋板金１００のパネル下辺固定板金用ネジ穴１０４とがネジにより固定され、上下に架橋されてネジ止めされる。これらパネル上辺固定板金１１０とパネル下辺固定板金１２０と２本の架橋板金１００の４つの板金が組み合わさり、フロントキャビネット２０に対して液晶表示パネル３０を固定して保持する。
【００３２】
また、このフレーム構造により架橋板金１００は、パネル上辺固定板金１１０とパネル下辺固定板金１２０と液晶表示パネル３０はもちろん、これら以外の液晶テレビジョン１０の全てのパーツを支持することができる強度を持つため、架橋板金１００は壁掛け用穴１０６にて液晶テレビジョン１０の自重を支える壁掛けフレームとして使用可能となる。
【００３３】
図１１に２６インチの液晶表示パネルと２７インチの液晶表示パネルを、同一のパネル取付板金にてフロントキャビネットに取り付ける時の説明図を示す。同図ではパネル上辺固定板金１１０とパネル下辺固定板金１２０、および架橋板金１００は、２６インチ液晶表示パネル３４に取り付けるものも２７インチ液晶表示パネル３２に取り付けるものも同一の形状のものを使用する。架橋板金１００の下辺橋脚部１０９の鍔部のネジ穴は丸穴であるため２６インチと２７インチとで同じようにネジ止めされる。しかしながら、２６インチと２７インチとではフロントキャビネットにおけるボスネジ穴の位置が違うため、このサイズの違いを吸収する必要がある。
【００３４】
一方、架橋板金１００の上辺橋脚部１０７の鍔部のネジ穴は、上述したように１インチサイズの違う液晶表示パネルの縦の長さの差以上の長さをもつ長穴であるため上方の固定位置と下方の固定位置とに固定可能となり、２７インチ液晶表示パネルに使用するときは図１１において長穴の左端を使用し、２６インチ液晶表示パネルに使用するときは長穴の右端を使用する。これにより、インチ違いの液晶表示パネルのサイズの差を吸収することが可能となる。
【００３５】
（３）まとめ： 
つまり、表示パネル固定板金を、パネル上辺固定板金１１０と、パネル下辺固定板金１２０と、架橋板金１００とに分割する。そして、パネル上辺固定板金１１０をフラット表示パネル３０の上辺に、パネル下辺固定板金１２０をフラット表示パネル下辺に取り付け、両板金を二本の架橋板金１００にて保持する。また、架橋板金１００をパネル上辺固定板金１１０にネジ止めするネジ穴を縦長にすることで、１インチ以上異なるサイズの表示パネルに対して、パネル上辺固定板金１１０およびパネル下辺固定板金１２０はもちろん、架橋板金１００にも同一のものを使用できるようにした。
【００３６】
以上説明したように、本実施例に対応する請求項２にかかる考案は、上記フラット表示パネルは、裏面の上辺に上記上辺固定部材を取り付けられ、裏面の下辺に上記下辺固定部材を取り付けられ、複数の小穴が形成された上記基板固定部材が上記下辺固定部材から上方にかけて上記フラット表示パネル裏面の略半分までを覆うように取り付けられる構成としてある。そして上記上辺固定部材および上記下辺固定部材とは、上記フロントキャビネットに取り付けられる。また、上記上辺固定部材の上端と上記下辺固定部材の下端とに、壁掛け構造を有する上記架橋部材が上記上辺固定部材と上記下辺固定部材とを架橋して接続する。さらに、上記基板固定部材には一次電源回路を含む主基板と、一次電源回路を含まない補助基板とが設置され、上記フロントキャビネットの上記フラット表示パネル裏面側方には、インバータ回路を備えるインバータ基板１６０が設置され、上記フラット表示パネル裏面における上記上辺固定部材と上記基板固定部材との間にＤＶＤドライブが設置される。
【００３７】
ここで、上記パネル固定手段としては、上記フラット表示パネルを上記上辺固定部材と上記下辺固定部材と上記基板固定部材と上記架橋部材とにより固定することが出来ればよい。また、上記上辺固定部材としては上記フラット表示パネルを上方より支持するものであれば棒状であっても板状であっても鉤状であってもその他いかなる形状であってもよい。そして、素材も様々な金属や樹脂を使用可能である。また上記下辺固定部材の素材・形状も上記上辺固定部材と同様なものが可能である。さらに、上記架橋部材は上記上辺固定部材と上記下辺固定部材とをつないで保持するとともに、上記パネル型テレビジョンの自重全てを壁掛け構造にて支えることが出来ればいかなる素材や形状であっても構わない。また、上記基板固定部材としては上記主基板と上記補助基板とを設置可能なサイズと構造とを有していればいかなる形状、素材であっても構わない。
【００３８】
このように構成した請求項２にかかる考案によれば、パネルメーカー毎に部品を作成せずに済むため、１つの金型に対する評価時間が延びるとともに、コストが削減できる。また、作業者においては、パネルが変わっても作業内容が同じであるため作業性が向上する。そして、部品を分割することにより材料が軽減されて軽量化され、落下試験や振動試験などの特殊試験において有利になる。さらに、壁掛け構造をバックキャビネットとは独立させたため、強固な壁掛け構造を提供することができるとともに、パネル固定部材の１つとするため部品点数も削減できる。また、パネル固定部材を分割したことにより部品が小型化され大型機械を所持していないメーカーにも部品作成が可能となり、価格競争が見込めるとともに、小型機械での生産が可能となるため、大型機械と違い機械台数も多く、部品の納期遅れが無くなるとともに、部品不良も低減する。そして、パネル全体を板金で覆わないため、パネルの発熱に対する排熱効率が上がり、テレビジョン内の温度が下がる。
【００３９】
また請求項３では、上記請求項２に記載のパネル型テレビジョンにおいて、上記架橋部材の桁下高が上記主基板および上記補助基板の部品高より高く、上記架橋部材の上下方向の橋脚幅が前後方向の橋梁幅よりも長い構成としてある。
上記のように構成した請求項３の考案においては、架橋部材の桁下高が基板の部品高よりも高いため、基板固定部材に基板を取り付けやすくなる。
【００４０】
そして請求項４では、上記請求項２または３に記載のパネル型テレビジョンにおいて、上記架橋部材が上記上辺固定部材および上記下辺固定部材にネジ止めされ、上記架橋部材に形成されて上記上辺固定部材にネジ止めするネジ穴は上下方向に縦長に形成される構成としてある。
上記のように構成した請求項４に記載の考案においては、架橋部材における上辺部材側のネジ穴を上下方向に縦長にすることでサイズの異なるフラット表示パネルにも同一の架橋部材を使用できるようになる。
【００４１】
さらに請求項５では、上記請求項２〜４のいずれかに記載のパネル型テレビジョンにおいて、上記フラットパネルの下方にあたる上記フロントキャビネットに、スピーカが設置される構成としてある。
上記のように構成した請求項５に記載の考案においては、スピーカを主基板の近くに配置することが可能となり、配線が容易になった。
【００４２】
また請求項６では、上記請求項２〜５のいずれかに記載のパネル型テレビジョンにおいて、上記フラット表示パネルが２０インチから３５インチの液晶表示パネルとしてある。
上記のように構成した請求項６に記載の考案においては、２０インチ〜３５インチといった、これまでバックキャビネットに直接壁掛け構造を作成できなかったサイズのテレビジョンにも、壁掛け構造を作成することが可能となる。
【００４３】
そして請求項７では、上記請求項２〜６のいずれかに記載のパネル型テレビジョンにおいて、上記架橋部材は、厚みが１．２〜１．６mmの板金を用いて、左右方向幅が１０〜２０mmとなるよう折り曲げ加工して形成される構成としてある。
上記のように構成した請求項７に記載の考案においては、板金の厚みを薄くしても折り曲げ加工することで十分な強度を得ることが出来るとともに、左右方向幅を狭くすることで基板固定部材への基板取りつけがより容易になる。
【００４４】
以上の構成を踏まえた上で、請求項１の考案は、インバータ回路および蛍光管からなるバックライトを備え、映像を画面に表示する液晶表示パネルと、音声を出力するスピーカと、テレビ放送を受信して映像を上記液晶表示パネルに表示させるとともに音声を上記スピーカにて出力させる主基板と、上記液晶表示パネルとスピーカと主基板とを収容する樹脂製のキャビネットとを備える液晶テレビジョンにおいて、上記主基板は一次電源回路を備え、上記液晶表示パネルは、画面が１６：９のワイドタイプであって２０型から３０型の大きさであるとともにビューエリアを取り囲むように正面側と側面側に金属製の枠部が配置されつつ背面側を金属製のシールドパネルにて覆われ、かつ、同背面側には一方の短辺に沿って上下方向に配向した縦長のインバータ回路が配置されており、同液晶表示パネルの上記枠部における上辺と下辺とに沿って並行に配置されて、同上辺と下辺とをビス止め固定可能な上辺固定板金と下辺固定板金と、この下辺固定板金における上方側であって上記インバータ回路が配置された側を避けるように水平方向にオフセットされて固定され、下端側はほぼ上記下辺固定板金に接するように配置されるものの上端側は上記上辺固定板金まで届かない上下高に形成されるメッシュパネルからなる基板固定板金と、上記基板固定板金の背面側にて上記インバータ回路が配置された側と反対側に寄せてビス止め支持されて上記主基板に具現されない処理を担当する補助基板と、同基板固定板金の背面側にて上記インバータ回路が配置された側に近づけて上記補助基板と並べて支持されるとともに、上記一次電源回路は同インバータ回路が配置された側に近づけて配置して同インバータ回路に直流駆動電源を供給する上記主基板と、幅方向に所定距離を隔てて平行に一対をなし、それぞれの上端部位と下端部位にて上記上辺固定板金と下辺固定板金とにビス止め固定されるとともに、上記主基板と干渉せず、かつ、上記一次電源回路に対して所定の沿面距離を確保するために背面側に向けて突き出るように跨ぐ架橋形状をなし、下方の下辺橋脚部と上方の上辺橋脚部とこれらを結ぶ橋梁部分とからなり、これら下辺橋脚部と上辺橋脚部と橋梁部分は１．２〜１．６ｍｍの厚みの金属板を幅が全体的に１０〜２０ｍｍとなるようにコ字型に屈曲させられ、上記下辺橋脚部と上記上辺橋脚部はコ字型とした奥行き方向を深くするとともに上記橋梁部分のコ字型とした奥行き方向を浅く形成して背面側に向けてオフセットすることで同橋梁部分が一次側電源回路を跨ぐ部位で沿面距離を確保するようにし、背面側からは規格サイズの壁掛け金具と固定できるネジ穴が形成され、上記下辺橋脚部の上下方向の長さは上記上辺橋脚部の上下方向の長さよりも長く形成され、上記上辺橋脚部は上記上辺固定板金を上方の固定位置と下方の固定位置とに固定可能となるようにビス止め用の穴が長穴として形成され、上記下辺橋脚部はスタンド金具を固定可能とするネジ穴が形成された架橋板金とを備え、上記キャビネットは、上記液晶表示パネルのビューエリアを正面側に開口しつつ、上記下辺固定板金よりも下方側であって幅方向の外側位置に上記スピーカを一対として支持し、概略全体を被覆するように形成され、上記上辺固定板金と下辺固定板金とに固定されるにあたり、同下辺固定板金に対しては一つの固定位置となるようにネジ受けボスが立設されるとともに、上記上辺固定板金に対しては上下二つの固定位置となるように幅方向と上下方向に互いにオフセットした位置で二つのネジ受けボスが立設され、この二つのネジ受けボスに対してネジ止め固定できるように上記上辺固定板金にも幅方向とオフセットした位置で二つのネジ穴を形成した構成としてある。
【００４５】
なお、本考案発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本考案の一実施例として開示されるものである。
【図面の簡単な説明】
【００４６】
【図１】パネル型テレビジョンの前面斜視図である。
【図２】パネル型テレビジョンの背面斜視図である。
【図３】バックキャビネットを外したパネル型テレビジョンの背面斜視図である
【図４】架橋板金の斜視図である
【図５】架橋板金の断面図である
【図６】架橋板金の側面図である
【図７】架橋板金の上面図である
【図８】パネル上辺固定板金の斜視図である
【図９】パネル下辺固定板金の斜視図である
【図１０】基板設置用板金の斜視図である
【図１１】架橋板金の取付穴位置の説明図である
【符号の説明】
【００４７】
１０…パネル型テレビジョン
２０…フロントキャビネット
２５…バックキャビネット
３０…フラット表示パネル（液晶表示パネル）
３２…２６インチフラット表示パネル
３４…２７インチフラット表示パネル
４０…脚部
５０…ＤＶＤドライブ
６０…スピーカ用小穴
６５…スピーカ
７０…コンセント端子
８０…壁掛け穴
１００…架橋板金
１０２…パネル上辺固定板金用ネジ穴
１０４…パネル下辺固定板金用ネジ穴
１０６…壁掛け用穴
１１０…パネル上辺固定板金
１１２…架橋板金用ネジ穴
１１４…フロントキャビネット用ネジ穴
１１６…フラット表示パネル用ネジ穴
１２０…パネル下辺固定板金
１２２…架橋板金用ネジ穴
１２４…フロントキャビネット用ネジ穴
１２６…フラット表示パネル用ネジ穴
１３０…基板設置用板金
１４０…補助基板
１５０…主基板
１６０…インバータ基板
【図１】
0003117833.tif 000003
【図２】
0003117833.tif 000004
【図３】
0003117833.tif 000005
【図４】
0003117833.tif 000006
【図５】
0003117833.tif 000007
【図６】
0003117833.tif 000008
【図７】
0003117833.tif 000009
【図８】
0003117833.tif 000010
【図９】
0003117833.tif 000011
【図１０】
0003117833.tif 000012
【図１１】
0003117833.tif 000013